(57)【特許請求の範囲】
【請求項１】
コンタクトを有したボディと、このボディに対するカード挿抜方向に沿ってイジェクト位置・ロック位置の間でスライド作動自在に形成されたスライダーと、このスライダーに対し前記イジェクト位置方向に付勢力を作用させる付勢機構と、前記スライダーをスライド作動方向における前記ロック位置に保持するロック機構とを備えると共に、
前記ボディにカードを挿入した際には、カードとの接当によりスライダーがスライド作動し、このスライダーが前記ロック位置に達した際に前記ロック機構が該スライダーをロック位置に保持し、このロック状態で前記カードが挿入方向に再度操作された際にはロック機構がロック状態を解除するよう前記ロック機構の作動形態が設定されているカードコネクタであって、
前記ボディのうち、このボディに挿抜されるカードの幅方向での何れか一方の縁部に対して前記スライダーをスライド作動方向に案内するガイド部を形成し、前記スライダーが、前記ガイド部に案内される状態で、かつ、前記ボディに挿入されるカードのカード挿入空間を基準にしてカードの厚さ方向に重なり合う側に配置され、
前記カード挿入空間を形成するためのケースを前記ボディに備えると共に、このケースが金属板の成形により、前記カード挿入空間を挟んで前記ボディに対向して配置される案内壁部と、前記カードの幅方向での両端部の位置を決める側壁部と、前記スライダーをスライド方向へ案内するガイド部とを一体的に形成しているカードコネクタ。
【請求項２】
前記ガイド部が、前記スライダーが配置された側の前記側壁部を前記厚さ方向に延長し、この延長部分を前記スライダーの側に折り曲げることにより、前記スライダーを抱き込む状態で案内する空間として形成されている請求項１記載のカードコネクタ。
【請求項３】
前記ボディが、前記コンタクトを支持したベース部と、前記カード挿入空間を挟んで前記ケースと対向する位置に配置されるカード案内部と、前記スライダーを案内するスライダーガイド部とを絶縁性の樹脂材によって一体的に形成した構造を有すると共に、
前記スライダーガイド部が、前記ベース部から前記スライダーのスライド作動方向に沿って延出形成され、このスライダーガイド部の延出端に前記スライダーに接当するストッパーが形成され、前記スライダーのスライド作動方向において前記ストッパーと反対側に前記スライダーに付勢力を作用させる圧縮コイルバネを支持するバネ受け部が形成され、前記ガイド部が前記バネ受け部から前記ストッパーの部位に亘る領域に形成されている請求項１又は２記載のカードコネクタ。
【請求項４】
前記バネ受け部が、貫通孔部分に前記圧縮コイルバネを挿通し、この貫通孔部分にガイド体を圧入することによって圧縮コイルバネを支持する構造を有しており、前記ガイド体は、前記圧縮コイルバネに挿通する棒状部分と、前記貫通孔部分の外縁部分に対して前記ストッパーと反対側から圧入する圧入部分とを備えている請求項３記載のカードコネクタ。
【請求項５】
前記スライダーに対して前記カードに形成されている被係合部に係脱する弾性係合片を備えている請求項１〜４のいずれか１項に記載のカードコネクタ。
【請求項６】
前記ロック機構が、ハート状のカム溝を有したカム体と、カム溝に係入することによって前記スライダーの位置を決めるピンとを具備したハートカム機構で構成されると共に、前記カム溝が、前記スライダーの作動に対応して前記ピンを決まった方向に循環させるよう、夫々のレーン同士の境界位置に段差を形成して前記ピンの逆方向への循環を阻止する機能を有する複数のレーンを組み合わせて環状に形成されている請求項１〜５のいずれか１項に記載のカードコネクタ。
【請求項７】
前記レーンとして、前記カードの挿入に伴って前記スライダーが作動した際に前記ピンが送り込まれ、前記スライダーを前記ロック位置に保持する離脱レーンを備え、この離脱レーンにおけるカム溝の深さを、前記ピンの循環方向での上手側を基準にして、下手側が浅く成るように底面を傾斜姿勢に形成すると共に、この離脱レーンに対して前記循環の方向で上手側と下手側とに形成される前記段差のカム溝の深さを等しく設定している請求項６記載のカードコネクタ。
【発明の詳細な説明】
【０００１】
【発明の属する技術分野】
本発明は、コンタクトを有したボディと、このボディに対してイジェクト位置・ロック位置の間でスライド作動自在に支持されたスライダーと、このスライダーに対し前記イジェクト位置方向に付勢力を作用させる付勢機構と、前記スライダーをスライド作動方向における前記ロック位置に保持するロック機構とを備えると共に、前記ボディにカードを挿入した際には、カードとの接当によりスライダーがスライド作動し、このスライダーが前記ロック位置に達した際に前記ロック機構が該スライダーがロック位置に保持し、このロック状態で前記カードが挿入方向に再度操作された際にはロック機構がロック状態を解除するよう前記ロック機構の作動形態が設定されているカードコネクタに関する。
【０００２】
【従来の技術】
従来のカードコネクタとして、カード保持部材に対してスライド移動自在にスライダを支持し、このスライダをイジェクト方向に付勢するコイルバネを備え、このスライダに係合突出部を有した揺動部材を備え、この揺動部材の揺動端に形成したカム突出部を、カード保持部材に形成したカム溝に係入させたものが存在する。この従来の技術ではカード保持部材に対してメモリカード等のカードを挿入した場合には、カードに形成された係合凹部に対して前記係合突出部が係合してカードの脱落を阻止する状態となり、更にカードとの接当によってカード保持部材の内部でスライダが移動してロック状態に達する。このロック状態はカム突出部が係入するカム溝の形状に決まるものであり、このロック状態からカードを再度挿入方向に操作することによってロック状態が解除されカードを取り出せる構造が採用されている（例えば、特許文献１参照）。
他の従来のカードコネクタとして、複数のコンタクトを備えたインシュレータと、このインシュレータ上（重なり合う位置）に装着される可動プレート（本発明のスライダー）と、可動プレートをイジェクト方向に付勢するコイルバネとを備え、インシュレータに形成したハート型のカム機構の溝状部分に可動プレートのガイドピンを係入させている。そして、コネクタ内部にカードを挿入した場合には、カム機構によって挿入状態をロックし、この挿入状態で再度挿入方向にカードを操作した場合には、カム機構によるロックを解除してコイルバネの付勢力で可動プレートとともにカードを押し出すように構成が採用されている（例えば、特許文献２参照）。
【０００３】
【特許文献１】
特開２００１‐１８５２８６号公報  （請求項１、段落番号〔００１９〕〜  〔００３４〕、図１〜図７）
【特許文献２】
特開２０００‐２６０５２４号公報  （請求項１、段落番号〔００１１〕〜  〔００２１〕、図１〜図８）
【０００４】
【発明が解決しようとする課題】
デジタルカメラや携帯電話機、あるいは、個人用の携帯情報端末（ＰＤＡ）に備えられる記憶媒体を考えた場合、スマートメディア（商標）やメモリースティック（商標) 、ＳＤカード（商標）のように小型化が進んだものを用いることが多く、この種の記憶媒体（以下、カードと称する）は今後、一層の小型化が予想される。又、前述した特許文献１、２のように挿入操作でカードをセットし、再度挿入方向へ操作力を加えることでカードを取り出せるものはロック解除用のボタン類を備えたものと比較して操作性が良好である。
【０００５】
この種のカードコネクタは、カードの挿抜の容易性だけが要求されるものでは無く、小型化も要求されるものである。特に、カードの小型化に伴い、このカードコネクタの小型化の要求も厳しくなっているのが現状である。そこでカードコネクタの小型化を考えた場合、カードコネクタの収容空間を縮小すると云う単純な観点からだけではなく、カードを使用する機器を小型化する観点から考えると、例えば、基板上における実装面積を縮小することも重要となる。しかしながら、従来からのカードコネクタとして、特許文献１のようにカードの幅方向と並列する位置にロック・イジェクト系を備えたものではカードコネクタの幅方向で大型化しやすく、特許文献２のようにカードの厚さ方向にロック・イジェクト系を備えたものは、コネクタの幅方向の拡大を抑制できるので実装面積を縮小できるものの、カードコネクタ全体が大型化しやすく改善の余地がある。
【０００６】
本発明の目的は、カード挿抜操作の容易性を損なうこと無く、コネクタ全体の小型化、及び、基板に対する実装面積の縮小が可能なカードコネクタを合理的に構成する点にある。
【０００７】
【課題を解決するための手段】
本発明の請求項１に係るカードコネクタの特徴、作用・効果は次の通りである。
〔特徴〕
コンタクトを有したボディと、このボディに対するカード挿抜方向に沿ってイジェクト位置・ロック位置の間でスライド作動自在に形成されたスライダーと、このスライダーに対し前記イジェクト位置方向に付勢力を作用させる付勢機構と、前記スライダーをスライド作動方向における前記ロック位置に保持するロック機構とを備えると共に、前記ボディにカードを挿入した際には、カードとの接当によりスライダーがスライド作動し、このスライダーが前記ロック位置に達した際に前記ロック機構が該スライダーをロック位置に保持し、このロック状態で前記カードが挿入方向に再度操作された際にはロック機構がロック状態を解除するよう前記ロック機構の作動形態が設定されているカードコネクタにおいて、前記ボディのうち、このボディに挿抜されるカードの幅方向での何れか一方の縁部に対して前記スライダーをスライド作動方向に案内するガイド部を形成し、前記スライダーが、前記ガイド部に案内される状態で、かつ、前記ボディに挿入されるカードのカード挿入空間を基準にしてカードの厚さ方向に重なり合う側に配置され、前記カード挿入空間を形成するためのケースを前記ボディに備えると共に、このケースが金属板の成形により、前記カード挿入空間を挟んで前記ボディに対向して配置される案内壁部と、前記カードの幅方向での両端部の位置を決める側壁部と、前記スライダーをスライド方向へ案内するガイド部とを一体的に形成している点にある。
【０００８】
〔作用・効果〕
上記特徴によると、カードを挿入した場合にはカードとの接当によりスライダーがロック位置までスライド作動し、ロック機構がスライダーをロック位置で保持する。次に、このロック状態でカードを挿入方向に再度操作した場合にはロック機構のロック状態が解除され付勢機構の付勢力によってスライダーがイジェクト位置までスライド作動してカードの取り出しが可能となる。又、ボディのうち、このボディに挿抜されるカードの幅方向での何れか一方の縁部に対し、カードの厚さ方向に重なり合う側にスライダーが配置されているので、カードの幅方向での小型化が可能となり、しかも、ボディの全幅に亘ってスライダーが配置されたものと比較して厚さ方向での大型化も抑制する。その結果、カード挿抜操作の容易性を損なうこと無く、コネクタ全体の小型化、及び、基板に対する実装面積の縮小が可能なカードコネクタが合理的に構成された。特に、本発明の構成によると、カードコネクタの幅をカードと殆ど同じ幅まで縮小することが可能となり、しかも、本カードコネクタにおけるスライダーが配置された部位は厚さ方向に突出する部位が存在するものの、この部位以外は空き空間となるので、この空間にパーツ類を配置する等、空間の有効活用が可能となる効果も奏する。更に、このカードコネクタにカードを挿入する際には、カードの幅方向での両端部がケースの側壁部で位置を決められた状態で案内され、カード面が案内壁部で案内され、この挿入時においてカードの位置が決まり、金属板の成形によってケースを構成しているので、カード収納空間を樹脂材によって筒状に形成したものと比較すると、カードコネクタの厚みを薄くするものとなり、小型化を実現する。
【０００９】
本発明の請求項２に係るカードコネクタの特徴、作用・効果は次の通りである。
〔特徴〕
請求項１記載のカードコネクタにおいて、前記ガイド部が、前記スライダーが配置された側の前記側壁部を前記厚さ方向に延長し、この延長部分を前記スライダーの側に折り曲げることにより、前記スライダーを抱き込む状態で案内する空間として形成されている点にある。
【００１０】
〔作用・効果〕
上記特徴によると、ケースを構成する金属板を折り曲げることで形成したガイド部の内部に収めた状態でスライダーを案内できる。
【００１１】
本発明の請求項３に係るカードコネクタの特徴、作用・効果は次の通りである。
〔特徴〕
請求項１又は２記載のカードコネクタにおいて、前記ボディが、前記コンタクトを支持したベース部と、前記カード挿入空間を挟んで前記ケースと対向する位置に配置されるカード案内部と、前記スライダーを案内するスライダーガイド部とを絶縁性の樹脂材によって一体的に形成した構造を有すると共に、前記スライダーガイド部が、前記ベース部から前記スライダーのスライド作動方向に沿って延出形成され、このスライダーガイド部の延出端に前記スライダーに接当するストッパーが形成され、前記スライダーのスライド作動方向において前記ストッパーと反対側に前記スライダーに付勢力を作用させる圧縮コイルバネを支持するバネ受け部が形成され、前記ガイド部が前記バネ受け部から前記ストッパーの部位に亘る領域に形成されている点にある。
【００１２】
〔作用・効果〕
上記特徴によると、絶縁性の樹脂材によって形成されたボディとケースとの組み合わせによってカードコネクタを構成でき、バネ受け部からストッパーの部位に亘ってガイド部を形成することにより、バネ受け部とストッパーとの間の領域においてスライダーを作動させることが可能になる。
【００１３】
本発明の請求項４に係るカードコネクタの特徴、作用・効果は次の通りである。
〔特徴〕
請求項３記載のカードコネクタにおいて、前記バネ受け部が、貫通孔部分に前記圧縮コイルバネを挿通し、この貫通孔部分にガイド体を圧入することによって圧縮コイルバネを支持する構造を有しており、前記ガイド体は、前記圧縮コイルバネに挿通する棒状部分と、前記貫通孔部分の外縁部分に対して前記ストッパーと反対側から圧入する圧入部分とを備えている点にある。
【００１４】
〔作用・効果〕
上記特徴によると、圧縮コイルバネのバネ受け部側の端部を圧入部分によって受け止め、圧縮コイルバネをガイド体の棒状部分で案内することが可能となる。
【００１５】
本発明の請求項５に係るカードコネクタの特徴、作用・効果は次の通りである。
〔特徴〕
請求項１〜４のいずれか１項に記載のカードコネクタにおいて、前記スライダーに対して前記カードに形成されている被係合部に係脱する弾性係合片を備えている点にある。
【００１６】
〔作用・効果〕
上記特徴によると、カードの被係合部に弾性係合片が係入することによって、スライダーからカードが脱落することがない。その結果、例えば、イジェクト時にカードがカードコネクタから飛び出すことや、挿入時にカードが脱落する不都合を解消して扱いやすいものとなる。
【００１７】
本発明の請求項６に係るカードコネクタの特徴、作用・効果は次の通りである。
〔特徴〕
請求項１〜５のいずれか１項に記載のカードコネクタにおいて、前記ロック機構が、ハート状のカム溝を有したカム体と、カム溝に係入することによって前記スライダーの位置を決めるピンとを具備したハートカム機構で構成されると共に、前記カム溝が、前記スライダーの作動に対応して前記ピンを決まった方向に循環させるよう、夫々のレーン同士の境界位置に段差を形成して前記ピンの逆方向への循環を阻止する機能を有する複数のレーンを組み合わせて環状に形成されている点にある。
【００１８】
〔作用・効果〕
上記特徴によると、カードを挿入した際には、カム溝に係入したピンが決まった方向に移動することによりロック状態に達し、この後、カードを再度挿入方向に操作した際には、カム溝に係入したピンが決まった方向に移動することによりロック状態を解除し、ロック状態の解除が可能となる。
【００１９】
本発明の請求項７に係るカードコネクタの特徴、作用・効果は次の通りである。
〔特徴〕
請求項６記載のカードコネクタにおいて、前記レーンとして、前記カードの挿入に伴って前記スライダーが作動した際に前記ピンが送り込まれ、前記スライダーを前記ロック位置に保持する離脱レーンを備え、この離脱レーンにおけるカム溝の深さを、前記ピンの循環方向での上手側を基準にして、下手側が浅く成るように底面を傾斜姿勢に形成すると共に、この離脱レーンに対して前記循環の方向で上手側と下手側とに形成される前記段差のカム溝の深さを等しく設定している点にある。
【００２０】
〔作用・効果〕
上記特徴によると、各レーンを階段状に形成したものと比較すると、カム溝全体の深さを浅くしてロック機構全体の小型化を実現する。
【００２１】
【発明の実施の形態】
以下、本発明の実施の形態を図面に基づいて説明する。
図１〜図４に示すように、複数のコンタクト１を有したボディＢと、このボディＢに対するカード挿抜方向に沿ってイジェクト位置Ｅｊ及びロック位置Ｌｏ  （図６を参照）の間でスライド作動自在に形成されたスライダーＳと、このスライダーＳに対し前記イジェクト位置方向に付勢力を作用させる付勢機構としての圧縮コイルバネ２と、前記スライダーＳをスライド作動方向における前記ロック位置Ｌｏに保持するロック機構Ｌと、これらを覆うケースＣとを備えてカードコネクタが構成されている。
【００２２】
このカードコネクタは、デジタルカメラや携帯電話機、あるいは、携帯情報端末（ＰＤＡ）等の機器に備えられるものであり、これらに機器に対してフラッシュメモリ型の記憶媒体としてスマートメディア（商標) やメモリースティック（商標) 、あるいは、ＳＤカード（商標）で代表されるカードＭや、小型のハードディスクとしてマイクロドライブ（商標）で代表されるカードＭの装着と分離とを実現するものである。そして、該カードコネクタにカードＭを挿入した際には、図６に示すように、カードＭとの接当によりスライダーＳがスライド作動し、このスライダーＳが前記ロック位置Ｌｏに達した時点でカードＭの複数の電極ＰがボディＢのコンタクト１に接触して導通状態に達するとともに前記ロック機構Ｌが該スライダーＳをロック位置Ｌｏに保持する。次に、このロック状態で前記カードＭを挿入方向に再度操作した際にはロック機構Ｌのロックが解除され、圧縮コイルバネ２の付勢力によってスライダーＳをイジェクト位置Ｅｊまで戻すよう作動形態が設定されている（この作動の詳細は後述する）。
【００２３】
本発明のカードコネクタに対応したカードＭの一例として、図１、図２に示す形状のものを例に挙げると、このカードＭは長手方向の寸法Ｘと、幅方向の寸法Ｙとに比較して厚さの寸法Ｚが小さく設定され、長手方向の端部に複数の電極Ｐを備え、この長手方向の端部の角部を取り除いて誤挿入防止用の切り欠き部Ｎを形成し、この切り欠き部Ｎを形成した側縁側には凹状となる被係合部Ｄを形成している。
【００２４】
前記ボディＢは絶縁性の樹脂材によりベース部１０と、カード案内部１１と、スライダーガイド部１２とを一体形成してある。スライダーガイド部１２はレール状に形成され、その延出端（反ベース部）にブロック状のストッパー１３を一体形成し、このスライダーガイド部１２の基端側のカード挿入空間側に逆挿入防止リブ１４を突出形成し、このスライダーガイド部１２の基端側の反カード挿入空間側（前記逆挿入防止リブの裏面側）にブロック状のバネ受け部１５を突出形成してある。又、前記ケースＣとの連結のため、ベース部１０に一対の係合部１６を形成し、カード案内部１１に一対の係合部１７を形成してある。
【００２５】
このボディＢの幅方向の寸法をカードＭの幅方向の寸法Ｙと略一致する寸法に設定してあり、前記スライダーガイド部１２を前記カードにおける切り欠き部Ｎに対応する側に配置してある。又、前記ベース部１０に対して、銅合金等の良導体の性質を有し、バネ材として機能する前記コンタクト１の基端を圧入により支持してある。そして、このように圧入したコンタクト１のうち、ベース部１０から外方に露出する部位によって、プリント基板等にハンダ固定される端子が形成されている。
【００２６】
前記スライダーＳは樹脂材で成り、スライダー本体２０に対して前記カードＭの切り欠き部Ｎに接当する接当部２１と、前記ロック機構Ｌを構成するカム体ＣＡＭと、前記圧縮コイルバネ２を受ける支持開口２２とを一体形成すると共に、金属製のバネ材で成る弾性係合片２４を備えている。この弾性係合片２４は延出端位置を屈曲成形した突出部２４Ａを突出形成して成り、この弾性係合片２４の基端側をスライダー本体２０に圧入固定している。
【００２７】
このカードコネクタではカードＭにおいて電極Ｐが配置されない切り欠き部Ｎに接当する側にスライダーＳの接当部２１が配置されているので、例えば、これと逆側に配置するものと比較して広い接当面を介してカードＭに接当させることを実現している。
【００２８】
前記支持開口２２と前記バネ受け部１５とに亘って前記圧縮コイルバネ２を配置し、この圧縮コイルバネ２の内部に挿通するガイド体３をバネ受け部１５に圧入固定することで、このスライダー本体２０をストッパー１３と接当する位置まで移動させる付勢力を作用させている。そして、このスライダー本体２０がストッパー１３に接当する位置がイジェクト位置Ｅｊであり、このストッパー１３がロック機構Ｌでロックされた位置がロック位置Ｌｏとなる。
【００２９】
前記ロック機構Ｌは、前記スライダーＳに形成したカム体ＣＡＭと、このカム体ＣＡＭに全体としてハート状に形成されるカム溝Ｇに一端が係入するフックピン２５と、このフックピン２５をカム溝Ｇ（図７を参照）の側に付勢するよう前記ケースＣに形成したバネ部７とでハートカム機構として構成されている。前記フックピン２５はピアノ線のように比較的剛性が高い線材の両端部を折り曲げ成型して、その一端の支軸２５Ａとして前記ストッパー１３の係合孔１３Ａに軸芯周りで揺動自在に係入し、他端を倣い軸２５Ｂとして前記カム溝Ｇに係入している。尚、倣い軸２５Ｂは、前記バネ部７からの付勢力によって軸端がカム溝Ｇの底部に接触する状態に維持される。
【００３０】
前記ケースＣは、アルミニウム合金や、銅合金の薄板のように加工が比較的容易で適度の剛性を有した金属素材をプレス成形して成り、前記ボディＢのカード案内部１１とカード挿入空間を挟んで対向配置される案内壁部５と、カードＭの両側部の位置を決める一対の側壁部６とを備えると共に、前記スライダーＳを抱き込む状態で案内するガイド部Ｃｇを一体形成し、このガイド部Ｃｇの一部に切り込みを形成して内部側（スライダー側）に壁面を突出させて前記バネ部７を形成している。又、ケースＣの端部に一対の連結片８を形成し、前記側壁部６とガイド部Ｃｇとに連結片９を形成している。
そしてケースＣの端部に形成した一対の連結片８をボディＢに形成された一対の係合部１６に係合させ、ケースＣの側部に形成された連結片９をボディＢに形成された係合部１７に係合させて互いに連結状態を維持している。このようにボディとケースＣとを連結した状態では、ケースＣとボディＢとの間にカード挿入空間が形成され、カバーＣに形成したガイド部Ｃｇの内部に前記スライダーＳが収められ、カードＭを挿入する場合には、ボディＢのカード案内部１１と、ケースＣの案内壁部５とでカードＭの厚さ方向の位置を決め、かつ、ケースＣの一対の側壁部６でカードＭの幅方向の位置を決めて適正な挿入を実現するものとなっている。
【００３１】
このカードコネクタを組み立てる工程では、ボディＢに対してコンタクト１を圧入により固定し、ガイド体３をバネ受け部１５を貫通する状態で圧入固定し、カバーＣに形成した連結片８、９と、ボディＢに形成した係合部１６、１７に係合させるので、複雑な工作を必要とせず、これらの工程を機械化して組み立てを容易に行えるものにしている。
【００３２】
前記カム体ＣＡＭは、図５〜図８に示すように、ハート状の突出部２３と、この突出部２３の周囲をとり囲む位置に形成された前記カム溝Ｇとを有して成り、このカム溝Ｇは、カードＭが挿入されない状態においてフックピン２５の倣い軸２５Ｂが位置する待機レーンＧ１と、カードＭが挿入された際に倣い軸２５Ｂが移動する挿入レーンＧ２と、この挿入の後に倣い軸２５Ｂをロック位置Ｌｏに案内する導入レーンＧ３と、ロック状態に達した後にカードＭが再度挿入方向に操作された場合に倣い軸２５Ｂをロック位置Ｌｏから離脱させる離脱レーンＧ４と、この後、倣い軸２５Ｂを待機レーンＧ１の方向に移動させるイジェクトレーンＧ５とで成っている。
【００３３】
そして、カードＭを挿入した後イジェクトする一連の操作時には、前記フックピン２５の倣い軸２５Ｂが、待機レーンＧ１、挿入レーンＧ２、導入レーンＧ３、離脱レーンＧ４、イジェクトレーンＧ５の順序で循環する。尚、前記ロック位置Ｌｏにおいてフックピン２５の倣い軸２５Ｂが位置する部位は離脱レーンＧ４に含まれている。
【００３４】
図９及び図１０に示すように、前記カム溝Ｇは、待機レーンＧ１から挿入レーンＧ２に向けて溝深さが徐々に浅くなるよう成形され、挿入レーンＧ２、導入レーンＧ３、離脱レーンＧ４、イジェクトレーンＧ５は夫々とも循環方向の下手側ほど浅くなるよう溝深さを設定してある。そして、挿入レーンＧ２と導入レーンＧ３との境界位置に導入レーンＧ３の側を深くした縦壁部Ｗを形成し、この導入レーンＧ３と離脱レーンＧ４との境界位置に離脱レーンＧ４の側を深くした縦壁部Ｗを形成し、この離脱レーンＧ４とイジェクトレーンＧ５との境界位置にイジェクトレーンＧ５の側を深くした縦壁部Ｗを形成し、このイジェクトレーンＧ５と待機レーンＧ１との境界位置には待機レーンＧ１の側を深くした縦壁部Ｗを形成してある。このように構成されたカム溝Ｇの形態は、特許文献１（特開２００１‐１８５２８６号公報）に記載されたものと基本的に同じである。
【００３５】
従って、本発明のカードコネクタはカードＭを挿入しない場合には図１１に示すようにスライダーＳはイジェクト位置Ｅｊにあり、この状態のカードコネクタに対してカードＭを挿入するとカードＭの端部（切り欠き部Ｎ）にスライダーＳの接当部２１が接当し、圧縮コイルバネ２の付勢力に抗してスライダーＳがロック方向に移動を開始する。この移動時にはフックピン２５の倣い軸２５Ｂが縦壁部Ｗと接当することによりイジェクトレーンＧ５に誤って進入すること無く、待機レーンＧ１から挿入レーンＧ２に移行し、更に、図１２に示すように導入レーンＧ３に移行する。又、カードコネクタにカードＭを挿入する場合には、カードＭの被係合部Ｄに対して弾性係合片２４の突出部２４Ａが係入してカードＭの脱落を阻止する状態に達し、カードＭをボディＢに挿入した状態においては、図１５に示すように、ボディＢに備えた複数のコンタクト１に対してカードＭに備えた複数の電極Ｐに接触して導通状態に達する。
【００３６】
この後に、カードＭの挿入力を解除した場合には、図１３に示すように、圧縮コイルバネ２の付勢力によってスライダーＳが押し出し方向に変位し、フックピン２５の倣い軸２５Ｂが導入レーンＧ３から離脱レーンＧ４の端部に入り込み、ロック位置Ｌｏに達して停止する（この状態をロック状態と称している）。このように倣い軸２５Ｂが導入レーンＧ３から離脱レーンＧ４に移行する場合には、挿入レーンＧ２と導入レーンＧ３との境界位置に縦壁部Ｗに倣い軸２５Ｂが接当することにより倣い軸２５Ｂが導入レーンＧ３に戻る不都合を回避している。又、倣い軸２５Ｂがロック位置Ｌｏに保持される状態においては、圧縮コイルバネ２の付勢力に抗してフックピン２５の倣い軸２５Ｂが前記突出部２３に接当する姿勢を維持する。
【００３７】
次に、カードＭを取り出す場合には、図１４に示すようにカードＭを挿入方向に再度操作することで、圧縮コイルバネ２の付勢力によってスライダーＳが移動し、この移動時にフックピン２５の倣い軸２５Ｂが離脱レーンＧ４からイジェクトレーンＧ５に移行する。この状態でカードＭに加えている操作力を低減、あるいは、解除することにより、圧縮コイルバネ２からの付勢力によって倣い軸２５ＢがイジェクトレーンＧ５を待機レーンＧ１の側に移動し、最終的には待機レーンＧ１に入り込み、スライダーＳがイジェクト位置Ｅｊまで移動し、カードＭはイジェクトされる。又、倣い軸２５ＢがイジェクトレーンＧ５から待機レーンＧ１の側に移行する場合にも、イジェクトレーンＧ５と離脱レーンＧ４との境界位置の縦壁部Ｗに倣い軸２５Ｂが接当することにより倣い軸２５Ｂが離脱レーンＧ４に戻る不都合を回避している。
【００３８】
そして、待機レーンＧ１の端部までフックピン２５の倣い軸２５Ｂが戻された状態（スライダーＳがイジェクト位置Ｅｊに位置する状態）においても、カードＭの被係合部Ｄに対して弾性係合片２４の突出部２４Ａが係入した状態が維持されるのでカードＭが脱落することがない。この後、カードＭを人為的に抜き出す操作を行うことによってカードＭの被係合部Ｄに対する弾性係合片２４の突出部２４Ａの係入が解除され取出しが許されるのである。
【００３９】
本発明のカードコネクタを装置の使用形態を示すと、図１及び図１６に示すように、筐体（図示せず）の内部に第１プリント基板３１を備え、カードコネクタを第２プリント基板３２に支持し、このように第２プリント基板３２に支持された状態のカードコネクタの前記ガイド部Ｃｇが接触する状態となるよう第１プリント基板３１と第２プリント基板３２とを平行姿勢に配置することが想定される。このように第１プリント基板３１に対してカードコネクタを実装した場合には、カードコネクタがカードＭの幅と比較して殆ど変わらない（僅かに広い幅となる）ため、第１プリント基板３１を占有する面積の縮小を実現するものであり、しかも、本発明のカードコネクタでは、ボディＢが配置された側にはケースＣを殆ど形成していないので、例えば、カード収納空間を樹脂材によって筒状に形成したものと比較すると、カードコネクタの厚みを薄くするものとなっており、ボディＢが配置された側にはスライダーＳを案内するガイド部Ｃｇだけが突出するものの、この面の側には図１６に示す空間Ｖが形成され、この空間Ｖに対してパーツ類３３を有効的に配置できるものにしている。
【００４０】
この使用形態では２枚のプリント基板を使用しているが、本発明のカードコネクタは、必ずしもプリント基板に支持する必要は無く、前記コンタクト１と導通させたフレキシブル基板をプリント基板に接続する形態で使用することも可能である。
【００４１】
このように本発明のカードコネクタは、ケースＣの一対の側壁部６によってカードＭの幅方向を規制する構造であるので、このカードＭの幅方向での寸法Ｙと比較してケースＣの素材の厚みの２倍程度、幅が広くなる寸法で済み、基板に実装する際に基板を占有する面積の縮小が可能となるばかりか、スライダーＳが形成された側においても、スライダーＳの部位だけが突出するので、スライダーＳが形成されない部位の空間の有効利用が可能となる。又、カードＭの切り欠きＮが形成された側にスライダーＳを接当させるので電極Ｐが配置されない部位を有効に利用して広い面を介してカードＭとスライダーＳとの接当を実現する。
【００４２】
〔別実施の形態〕
本発明は上記実施の形態以外に、例えば、以下のように構成することも可能である（この別実施の形態では前記実施の形態と同じ機能を有するものには、実施の形態と共通の番号、符号を付している）。
【００４３】
（イ）図１７及び図１８に示すように、スライダー本体２０と一体的に弾性係合片２４を形成することが可能である。つまり、スライダーＳの樹脂成形時に突出部２４Ａを有した弾性係合片２４を形成することにより、カードコネクタの製造時に前述した実施の形態のように金属材料を用いた弾性係合片２４を取り付ける工程を省略することを実現するのである。尚、同図にはカム体ＣＡＭをスライダーＳの側部側（カードＭの幅方向での外端側）に配置しており、これにより弾性係合片２４の充分な弾性変形領域を確保すると同時に、カム体ＣＡＭのカム溝Ｇとして充分な深さを確保できるようにしている。
【００４４】
（ロ）本発明を図１９に示すように構成することも可能である。つまり、同図に示すカードコネクタは、前記図１７及び図１８に示した構成（別実施の形態（イ））と類似する構成を具備するものであるが、ケースＣの端部を折り曲げ、スライダーＳにおけるカム溝Ｇが形成された側を覆う位置にだけガイド部Ｃｇを配置することによりボディＢと一体形成されたスライダーガイド部１２を露出させ、このガイド部Ｃｇに対して長孔状のガイド孔ｃｈを形成し、このガイド孔ｃｈに対して前記スライダー本体２０の外面に突設した係合部２０Ａを係入している。又、前記ボディＢに備えた複数のコンタクト１におけるボディ外の端部１Ａを前記スライダーガイド部１２が形成されたレベルまで延設し、このボディＢにおける反スライダーガイド側に対してスライダーガイド部１２の突出量と等しい量だけ突出する突出部１８を形成している。この構成により、このカードコネクタを基板に支持する場合には、スライダーガイド部１２と突出部１８とを基板（図示せず）に接触させる位置に配置することにより、コンタクト１の端部１Ａを基板に形成されたプリント配線に対して直接ハンダ固定できるものとなり、しかも、スライダーガイド部１２が基板に接触するものの、このスライダーガイド部１２が絶縁性の素材で成るので、基板に形成されるプリント配線を被覆するレジストとして特別に絶縁性の高いものや、耐摩耗性の高いものを使用することなく良好な絶縁性を現出する。
【００４５】
（ハ）又、本発明では、図２０に示すように、カム体ＣＡＭのカム溝Ｇのうち、離脱レーンＧ４におけるカム溝Ｇの深さを、循環方向での上手側（フックピン２５の倣い軸２５Ｂが循環する方向における上手側）を基準にして、下手側が浅くなるようカム溝Ｇの底面を傾斜姿勢に形成してあり、この離脱レーンＧ４に隣り合うイジェクトレーンＧ５における上手側のカム溝Ｇの深さを、前記離脱レーンＧ４における循環方向での上手側の深さと等しく設定してある。このようにカム溝Ｇの深さを設定することにより、例えば、カム溝Ｇの各レーンが階段状に形成されたものと比較してカム溝全体の深さを浅く形成できるものにしており、この構成によりカム体ＣＡＭ全体の小型化を実現する。
【００４６】
（ニ）又、本発明は、ストッパー１３にカム体ＣＡＭを形成し、スライダーＳにフックピン２５の支軸２５Ａを支持して、このフックピン２５の倣い軸２５Ｂをストッパー１３に形成したカム体ＣＡＭに係合させる形態で実施することや、付勢機構として引っ張りコイルバネやゴムを用いる形態で実施することも可能である。
【図面の簡単な説明】
【図１】基板に実装されたカードコネクタとカードとを示す斜視図
【図２】分離状態のカードコネクタとカードとを示す斜視図
【図３】ケースを取り外した状態のカードコネクタを示す斜視図
【図４】カードコネクタのボディの分解斜視図
【図５】カードコネクタのボディの一部切り欠き底面図
【図６】カード挿入前と挿入時とにおけるボディを示す一部切り欠き底面図
【図７】カム体におけるカム溝を示す図
【図８】カム体におけるカム溝を示す斜視図
【図９】カム体におけるカム溝を示す断面図
【図１０】図９におけるＡ−Ａ線断面図
【図１１】イジェクト位置におけるカム体とフックピンとの相対位置関係を示す図
【図１２】挿入操作時におけるカム体とフックピンとの相対位置関係を示す図
【図１３】ロック位置におけるカム体とフックピンとの相対位置関係を示す図
【図１４】ロック解除操作時におけるカム体とフックピンとの相対位置関係を示す図
【図１５】カード挿入前及び挿入後におけるカードとコンタクトとを示す断面図
【図１６】基板に実装されたカードコネクタを示す断面図
【図１７】別実施の形態（イ）のカードコネクタのカム体部位を示す断面図
【図１８】別実施の形態（イ）のカードコネクタの分解斜視図
【図１９】別実施の形態（ロ）のカードコネクタを示す斜視図
【図２０】別実施の形態（ハ）のカム溝を示す断面図
【符号の説明】
１              コンタクト
２              付勢機構・圧縮コイルバネ
１２            ガイド部
１３            ストッパー
１５            バネ受け部
２４            弾性係合片
２５            ピン
Ｂ              ボディ
Ｃ              ケース
Ｃｇ            ガイド部
Ｄ              被係合部
Ｇ              カム溝
Ｓ              スライダー
Ｌ              ロック機構・ハートカム機構
Ｍ              カード
Ｎ              切り欠き部
Ｅｊ            イジェクト位置
Ｌｏ            ロック位置
【図１】
0003935830.tif 000002
【図２】
0003935830.tif 000003
【図３】
0003935830.tif 000004
【図４】
0003935830.tif 000005
【図５】
0003935830.tif 000006
【図６】
0003935830.tif 000007
【図７】
0003935830.tif 000008
【図８】
0003935830.tif 000009
【図９】
0003935830.tif 000010
【図１０】
0003935830.tif 000011
【図１１】
0003935830.tif 000012
【図１２】
0003935830.tif 000013
【図１３】
0003935830.tif 000014
【図１４】
0003935830.tif 000015
【図１５】
0003935830.tif 000016
【図１６】
0003935830.tif 000017
【図１７】
0003935830.tif 000018
【図１８】
0003935830.tif 000019
【図１９】
0003935830.tif 000020
【図２０】
0003935830.tif 000021